(57)【要約】【課題】装置内部において生じる熱を放熱する効率を向上させること。【解決手段】本発明の携帯情報端末１は、伸縮自在のアンテナ５１を備える携帯情報端末であって、基板５上に設けられた発熱部品３とアンテナ５１とが熱伝導体７を介して接続され、熱伝導体７は、アンテナ５１との接続部において少なくとも絶縁性を有する。【選択図】図１
2013214868.tif 000002
【特許請求の範囲】
【請求項１】
伸縮自在の伸縮式アンテナを備える携帯情報端末であって、
基板上に設けられた発熱部品と前記伸縮式アンテナとが熱伝導体部材を介して接続され、
前記熱伝導体部材は、前記伸縮式アンテナとの接続部において少なくとも絶縁性を有することを特徴とする、携帯情報端末。
【請求項２】
前記伸縮式アンテナを伸縮駆動する伸縮駆動部と、
前記伸縮駆動部を制御する伸縮駆動制御手段と、をさらに備えることを特徴とする、請求項１に記載の携帯情報端末。
【請求項３】
アプリケーションを管理するアプリケーション管理手段をさらに備え、
前記伸縮駆動制御手段は、前記アプリケーション管理手段により伸縮式アンテナを利用するアプリケーションプログラムが実行されると、前記伸縮駆動部を制御して、前記伸縮式アンテナを伸長させることを特徴とする、請求項２に記載の携帯情報端末。
【請求項４】
前記伸縮駆動部を制御する伸縮駆動制御手段と、
前記発熱部品の温度を監視する温度監視手段と、をさらに備え、
前記伸縮駆動制御手段は、前記温度監視手段により監視されている前記発熱部品の温度が所定の温度以上となると、前記伸縮駆動部を制御して、前記伸縮式アンテナを伸長させることを特徴とする、請求項２に記載の携帯情報端末。
【請求項５】
前記発熱部品の温度を監視する温度監視手段と、
前記温度監視手段により監視されている前記発熱部品の温度が所定の温度以上となると、前記伸縮式アンテナの伸長を促す旨を報知する報知手段とをさらに備えることを特徴とする、請求項１に記載の携帯情報端末。
【発明の詳細な説明】
【技術分野】
【０００１】
本発明は、特に伸縮式アンテナを備えた携帯情報端末に関する。
【背景技術】
【０００２】
無線通信装置が備える発熱部品の熱を、アンテナを利用することにより放熱する技術が知られている。例えば、特許文献１，３には、発熱部品から生じた熱をアンテナに伝えることで放熱する無線通信装置が記載されている。また、特許文献１に記載のアンテナは、ヒートシンクとして機能することで、放熱効果を向上させている。
【０００３】
特許文献２には、高周波電力増幅器の発熱面に対して直接又は間接的にアンテナ共用フィルタ等を密着させることによって、該アンテナ共用フィルタ等を放熱器として兼用利用した無線機等における放熱構造が記載されている。
【０００４】
特許文献４には、アンテナをヒートパイプ構造とし、筒の中に封入された液体の蒸発と液化を繰り返すことで、発熱素子の熱を放熱する携帯無線機が記載されている。
【０００５】
また、スマートフォン等の携帯情報端末においては、伸縮式アンテナを搭載しているものがある。伸縮式アンテナは、例えばテレビを視聴時において、装置本体より引き出され、伸張させた状態で使用される。
【先行技術文献】
【特許文献】
【０００６】
【特許文献１】特開２００５−１９１８７４号公報（２００５年７月１４日公開）
【特許文献２】実開平１−１６０７３５号公報（１９８９年１１月８日公開）
【特許文献３】特開２００３−２１８７２９号公報（２００３７月３１日公開）
【特許文献４】特開昭６２−３６９０４号公報（１９８７年２月１７日公開）
【発明の概要】
【発明が解決しようとする課題】
【０００７】
特許文献１〜３のような従来技術は、発熱部品から生じる熱を装置内部において逃がすことができるが、装置外部に逃がすことができず、放熱の効率が悪いという問題がある。また、特許文献２のような従来技術は、放熱のための部品や、それを固定するための部品などの多くを装置内部に備えなければならず、装置の小型化および少スペース化に限界がある。
【０００８】
一方、特許文献４のような従来技術は、発熱部品から生じる熱を装置外部に逃がすことができる。しかしながら、特許文献４に記載のアンテナは、内部に液体を溜めるために筒状になっており、液体を封入するためのキャップを備えている。このため、アンテナへの液体を補充する操作をユーザに要求することになり、使い勝手が悪いという問題がある。また、放熱に十分な量の液体を封入するための空間をアンテナ内部に確保しなければならないため、アンテナの小型化が難しい。
【０００９】
本発明は、上記課題を解決するためになされたものであり、この発明の目的は、装置内部において生じる熱を放熱する効率を向上させることが可能な携帯情報端末を提供することである。
【課題を解決するための手段】
【００１０】
上記目的を達成すべく、本願出願人は鋭意検討を行い、その結果、伸縮式アンテナを放熱に利用することで、装置内部から装置外部へと効果的に放熱できることを見出し、本願発明を行うに至った。
【００１１】
そのため、上記の課題を解決するために、本発明の携帯情報端末は、伸縮自在の伸縮式アンテナを備える携帯情報端末であって、基板上に設けられた発熱部品と前記伸縮式アンテナとが熱伝導体部材を介して接続され、前記熱伝導体部材は、前記伸縮式アンテナとの接続部において少なくとも絶縁性を有する。
【００１２】
上記の構成によれば、発熱部品において発生した熱を伸縮式アンテナに伝え、伸縮式アンテナで熱を拡散して放熱させることができる。伸縮式アンテナを伸長させた場合には、伸縮式アンテナの表面積が大きくなるので、より熱を拡散させ易くなる。したがって、装置内部において発生した熱を放熱する効率を向上させることが可能な携帯情報端末を提供することができる。
【００１３】
また、本発明の携帯情報端末は、前記伸縮式アンテナを伸縮駆動する伸縮駆動部と、前記伸縮駆動部を制御する伸縮駆動制御手段と、をさらに備える。
【００１４】
また、本発明の携帯情報端末は、アプリケーションを管理するアプリケーション管理手段をさらに備え、前記伸縮駆動制御手段は、前記アプリケーション管理手段により伸縮式アンテナを利用するアプリケーションプログラムが実行されると、前記伸縮駆動部を制御して、前記伸縮式アンテナを伸長させる。
【００１５】
上記の構成によれば、伸縮式アンテナを利用するアプリケーションの実行に伴って、伸縮式アンテナが伸長するので、伸縮式アンテナをユーザに伸長させる手間をなくすことができる。例えば、アンテナを利用するテレビアプリケーション等は、一般的に発熱部品への負荷が大きくなるので、アプリケーション起動中に伸縮式アンテナが伸長することで、発熱部品の発熱を抑制することができる。
【００１６】
また、本発明の携帯情報端末は、前記発熱部品の温度を監視する温度監視手段をさらに備え、前記伸縮駆動制御手段は、前記温度監視手段により監視されている前記発熱部品の温度が所定の温度以上となると、前記伸縮駆動部を制御して、前記伸縮式アンテナを伸長させる。
【００１７】
上記の構成によれば、発熱部品の温度上昇を抑制することができる。
【００１８】
また、本発明の携帯情報端末は、前記発熱部品の温度を監視する温度監視手段と、前記温度監視手段により監視されている前記発熱部品の温度が所定の温度以上となると、前記伸縮式アンテナの伸長を促す旨を報知する報知手段とをさらに備える。
【００１９】
上記の構成によれば、発熱部品の温度が所定の温度より高くならないように、伸縮式アンテナの伸長をユーザに促すことができる。
【発明の効果】
【００２０】
本発明は、装置内部において生じる熱を放熱する効率を向上させることができるという効果を奏する。
【図面の簡単な説明】
【００２１】
【図１】本発明の実施の形態における携帯情報端末の構造の一例を示す図である。
【図２】本発明の実施の形態における携帯情報端末の側面を示す図である。
【図３】携帯情報端末のハードウエア構成の一例を示す図である。
【図４】第１の実施の形態における携帯情報端末が備える制御部の機能を示す機能ブロック図である。
【図５】第１の実施の形態におけるアンテナ伸縮駆動制御処理の流れの一例を示すフローチャートである。
【図６】第２の実施形態における携帯情報端末が備える制御部の機能を示す機能ブロック図である。
【図７】第２の実施の形態におけるアンテナ伸縮駆動制御処理の流れの一例を示すフローチャートである。
【図８】第３の実施の形態における携帯情報端末が備える制御部の機能を示す機能ブロック図である。
【図９】報知処理の流れの一例を示すフローチャートである。
【図１０】第４の実施の形態における携帯情報端末が備える制御部の機能を示す機能ブロック図である。
【図１１】第４の実施の形態におけるアンテナ伸縮駆動制御処理の流れの一例を示すフローチャートである。
【発明を実施するための形態】
【００２２】
＜第１の実施の形態＞
図面を参照しつつ、本発明の実施の形態について説明する。以下の説明では、同一の部品には同一の符号を付してある。それらの名称および機能も同じである。したがって、それらについての詳細な説明は繰り返さない。
【００２３】
（携帯情報端末の構造）
図１は、本発明の実施の形態における携帯情報端末の構造の一例を示す図である。図２は、本発明の実施の形態における携帯情報端末の側面を示す図である。携帯情報端末１は、筐体１１の内部に、基板５と発熱部品３と熱伝導体（熱伝導体部材）７とを備え、筐体１１の外部にアンテナ（伸縮式アンテナ）５１を備える。
【００２４】
アンテナ５１は、伸縮自在のアンテナであり、アンテナ接続用端子９を介して筐体１１内部の基板５と電気的に接続される。アンテナ５１は、筐体１１の側面のアンテナ収納部１３（図２参照）において収納されているときが収納状態であり、アンテナ収納部１３から突出し、伸長しているときが引出状態である。
【００２５】
発熱部品３は、例えばＣＰＵや電力増幅回路であり、基板５上に設けられる。また、発熱部品３は、熱伝導体７を介してアンテナ５１と接続される。これにより、発熱部品３において発生した熱をアンテナ５１に伝え、アンテナ５１で熱を拡散して放熱させることができる。また、アンテナ５１が伸長した状態の場合には、アンテナ５１の表面積が大きくなるので、より熱を拡散させ易くなる。これにより、発熱部品３において発生した熱を放熱する効率を向上させることができる。
【００２６】
なお、熱伝導体７は、アンテナ５１との接続部において少なくとも絶縁性を有する。これにより、発熱部品３とアンテナ５１との間においてショートが生じるのを防ぐことができる。
【００２７】
（携帯情報端末のハードウエア構成）
図３は、携帯情報端末のハードウエア構成の一例を示す図である。図３に示されるように、携帯情報端末１は、携帯情報端末１の全体を制御するための制御部１０１と、アンテナ部５０に接続されたチューナ４０と、温度測定部６０と、操作部７０と、記憶部８０と、カメラ部９０と、ＡＶデコーダ１１０と、スピーカ１２０と、表示部１４０の表示を制御するための表示制御部１３０と含む。なお、制御部１０１は、上述した発熱部品３の１つであるＣＰＵを含む。
【００２８】
アンテナ部５０は、アンテナ５１と、伸縮駆動部５３とを含む。アンテナ５１の伸縮は、自動式であっても手動式であってもよいし、両方を兼ね備えていてもよい。伸縮駆動部５３は、制御部１０１の指示に応じて、アンテナ５１を伸縮させる。
【００２９】
チューナ４０は、アンテナ５１により受信された複数の放送信号が入力され、入力された複数の放送信号から制御部１０１の指示に応じて特定の周波数の放送信号を取り出す。放送信号は、デジタル放送信号を含み、映像データおよび音声データを含む高周波デジタル変調信号である。
【００３０】
また、チューナ４０は、逆インターリーブ回路、誤り訂正回路を備えており、取り出した特定の周波数の放送信号を復調し、復調して得られる符号データをＡＶデコーダ１１０に出力する。なお、ここでは地上デジタル放送の放送信号を受信して再生する例を示すが、アナログテレビジョン放送の放送信号を受信して再生するようにしてもよい。また、テレビジョン放送に代えて、または、テレビジョン放送に加えて、ラジオ放送の放送電波を受信して再生するようにしてもよい。
【００３１】
ＡＶデコーダ１１０は、ビデオデコーダおよびオーディオデコーダを備えており、チューナ４０から入力された符号データを復号して映像信号および音声信号を生成し、映像信号をＤ／Ａ変換して表示制御部１３０に出力し、音声信号をＤ／Ａ変換してスピーカ１２０に与える。
【００３２】
表示制御部１３０は、制御部１０１により制御され、制御部１０１から入力される指示に従って表示部１４０を制御して、表示部１４０に画像を表示させる。表示部１４０に表示させる画像は、動画像と静止画像とを含む。
【００３３】
操作部７０は、操作キーと、タッチパネルとを含む。操作キーおよびタッチパネルは、ユーザによる操作の入力を受け付け、受け付けた操作を制御部１０１に出力する。
【００３４】
カメラ部９０は、レンズおよびＣＭＯＳセンサ等の光電変換素子を備え、レンズで集光した光をＣＭＯＳセンサに結像し、ＣＭＯＳセンサは受光した光を光電変換して画像データを制御部１０１に出力する。カメラ部９０は、制御部１０１により制御され、制御部１０１からの指示により撮像を開始して、得られる静止画データまたは動画データを制御部１０１に出力する。制御部１０１は、カメラ部９０が出力する静止画データまたは動画データを表示制御部１３０に出力し、表示部１４０に表示させる。
【００３５】
温度測定部６０は、発熱部品３の近傍の測定位置に配置され、測定位置における温度を測定する。
【００３６】
（第１の実施の形態における携帯情報端末が備える制御部の機能）
図４は、第１の実施の形態における携帯情報端末が備える制御部の機能を示す機能ブロック図である。図４に示されるように、制御部１０１は、操作受付部１６１と、アプリケーション管理部（アプリケーション管理手段）１６３と、伸縮駆動制御部（伸縮駆動制御手段）１６５とを含む。
【００３７】
操作受付部１６１は、ユーザが操作部７０を操作することにより入力する指示を受け付ける。操作受付部１６１が受け付ける指示は、アプリケーション起動指示と、アプリケーション終了指示とを含む。
【００３８】
アプリケーション起動指示は、記憶部８０に記憶されたアプリケーションを選択可能に表示するメニュー画面に従って、ユーザがアプリケーションを指定することにより、操作受付部１６１により受け付けられる。アプリケーション起動指示は、メニュー画面に従って指定されたアプリケーションのアプリケーション識別情報を含む。アプリケーション識別情報は、アプリケーションを識別するための情報であり、例えばアプリケーション名である。
【００３９】
アプリケーション終了指示は、起動中のアプリケーションについてのアプリケーション画面に従って、アプリケーションの終了を指示することにより、操作受付部１６１により受け付けられる。アプリケーション終了指示は、アプリケーション画面に従って終了が指示されたアプリケーションのアプリケーション識別情報を含む。
【００４０】
操作受付部１６１は、アプリケーション起動指示またはアプリケーション終了指示を受け付けると、受け付けた指示をアプリケーション管理部１６３に出力する。
【００４１】
アプリケーション管理部１６３は、操作受付部１６１からのアプリケーション起動指示に応じて、記憶部８０に記憶されたアプリケーションプログラムを実行する。具体的には、アプリケーション起動指示に含まれるアプリケーション識別情報で特定されるアプリケーションプログラムを記憶部８０から読出し、読み出したアプリケーションプログラムを実行する。
【００４２】
記憶部８０は、各種のアプリケーションプログラムを記憶している。記憶部が記憶するアプリケーションプログラムは、特に限定されないが、少なくともテレビアプリケーションプログラム、ラジオアプリケーションプログラム等が含まれる。
【００４３】
テレビアプリケーションプログラムは、アンテナ部５０によりテレビジョン放送の放送信号を受信して再生するテレビアプリケーションのプログラムである。ラジオアプリケーションプログラムは、アンテナ部５０によりラジオ放送の放送電波を受信して再生するラジオアプリケーションのプログラムである。
【００４４】
テレビアプリケーションおよびラジオアプリケーションそれぞれは、テレビジョン放送の再生機能、ラジオ放送の再生機能を有しており、この再生機能を実行する際には、アンテナ部５０からの信号を利用する。
【００４５】
なお、ここでは、アンテナ部５０からの信号を利用するアプリケーションとして、テレビアプリケーションおよびラジオアプリケーションを例に説明したが、アンテナ部５０からの信号を利用するアプリケーションであれば、他のアプリケーションであってもよい。
【００４６】
アプリケーション管理部１６３は、アプリケーションプログラムを実行した実行結果として表示用の画像を含む画像データを表示制御部１３０に出力する。このため、表示制御部１３０は、アプリケーション管理部１６３から入力された画像データに基づいて表示用画像を表示部１４０に表示させる。
【００４７】
また、アプリケーション管理部１６３は、アンテナ部５０からの信号を利用するアプリケーション（例えば、テレビアプリケーションおよびラジオアプリケーション）を識別するアンテナ利用アプリ識別情報を予め記憶している。アプリケーション管理部１６３は、アプリケーションの起動時において、起動したアプリケーションがアンテナ利用アプリ識別情報で示されるアプリケーションであるか否かを判断する。アプリケーション管理部１６３は、起動したアプリケーションがアンテナ利用アプリ識別情報で示されるアプリケーションである場合、アンテナ５１の引出指示を伸縮駆動制御部１６５に出力する。
【００４８】
また、アプリケーション管理部１６３は、アプリケーションの終了時において、終了するアプリケーションがアンテナ利用アプリ識別情報で示されるアプリケーションであるか否かを判断する。アプリケーション管理部１６３は、終了するアプリケーションがアンテナ利用アプリ識別情報で示されるアプリケーションである場合、アンテナ５１の収納指示を伸縮駆動制御部１６５に出力する。これにより、アンテナ部５０からの信号を利用するアプリケーションであるテレビアプリケーションおよびラジオアプリケーションを起動するときには、自動的にアンテナ５１が伸長し、テレビジョン放送の放送信号、ラジオ放送の放送電波の受信状態を良好にすることができる。
【００４９】
また、アプリケーション管理部１６３は、テレビアプリケーションまたはラジオアプリケーションの起動中に操作受付部１６１からアプリケーション終了指示が入力されると、表示用画像の表示の終了を表示制御部１３０に指示する。これにより、表示制御部１３０は、表示用画像の表示を終了する。
【００５０】
伸縮駆動制御部１６５は、アプリケーション管理部１６３からの指示に応じて、伸縮駆動部５３を制御し、アンテナ５１の状態を引出状態または収納状態にする。伸縮駆動制御部１６５は、アンテナ５１がアンテナ収納部１３において収納状態のときに、アプリケーション管理部１６３からアンテナ５１の引出指示が入力されると、収納状態のアンテナ５１を引出状態に変更させる。伸縮駆動制御部１６５は、アンテナ５１が引出状態のときに、アプリケーション管理部１６３からアンテナ５１の収納指示が入力されると、引出状態のアンテナ５１を収納状態に変更させる。
【００５１】
（第１の実施の形態におけるアンテナ伸縮駆動制御処理の流れ）
図５は、第１の実施の形態におけるアンテナ伸縮駆動制御処理の流れの一例を示すフローチャートである。アンテナ伸縮駆動制御処理は、制御部１０１が記憶部８０に記憶されたアンテナ伸縮駆動制御プログラムを実行することにより、制御部１０１に実行される処理である。
【００５２】
操作受付部１６１は、アプリケーションの起動指示を受け付けたか否かを判断する（ステップＳ１）。アプリケーション起動指示は、記憶部８０に記憶されたアプリケーションを選択可能に表示するメニュー画面に従って、ユーザがアプリケーションを指定することにより、操作受付部１６１により受け付けられる。アプリケーション起動指示は、メニュー画面に従って指定されたアプリケーションのアプリケーション識別情報を含む。アプリケーションの起動指示を受け付けたならば処理をステップＳ２に進める。
【００５３】
ステップＳ２においては、アプリケーション管理部１６３は、起動するアプリケーションがアンテナ使用機能を有するアプリケーションか否かを判断する。具体的には、アプリケーション管理部１６３は、アプリケーションの起動時において、起動したアプリケーションがアンテナ利用アプリ識別情報で示されるアプリケーションであるか否かを判断する。アプリケーション管理部１６３は、起動したアプリケーションがアンテナ利用アプリ識別情報で示されるアプリケーションである場合、ステップＳ３に進めるが、そうでなければアンテナ伸縮制御処理を終了する。
【００５４】
ステップＳ３においては、伸縮駆動制御部１６５は、収納状態のアンテナ５１を引出状態に変更し、処理をステップＳ４に進める。
【００５５】
ステップＳ４においては、アプリケーション管理部１６３は、ステップＳ２において起動されたアンテナ使用機能を有するアプリケーションが終了したか否かを判断する。具体的には、終了するアプリケーションがアンテナ利用アプリ識別情報で示されるアプリケーションであるか否かを判断する。アプリケーション管理部１６３は、終了するアプリケーションがアンテナ利用アプリ識別情報で示されるアプリケーションである場合、処理をステップＳ５に進める。
【００５６】
ステップＳ５においては、伸縮駆動制御部１６５は、引出状態のアンテナ５１を収納状態に変更し、アンテナ伸縮制御処理を終了する。
【００５７】
（第１の実施の形態のまとめ）
上述したように、本発明の携帯情報端末１は、基板５上に設けられた発熱部品３と伸縮自在のアンテナ５１とが熱伝導体７を介して接続され、熱伝導体７は、アンテナ５１との接続部において少なくとも絶縁性を有する。
【００５８】
これにより、発熱部品３において発生した熱をアンテナ５１に伝え、アンテナ５１で熱を拡散して放熱させることができる。また、アンテナ５１が伸長した状態の場合には、アンテナ５１の表面積が大きくなるので、より熱を拡散させ易くなる。したがって、発熱部品３において発生した熱を放熱する効率を向上させることができる。
【００５９】
また、第１の実施の形態における携帯情報端末１は、テレビアプリケーションまたはラジオアプリケーションの実行により、アンテナ５１を伸長する。これにより、ユーザは、テレビジョン放送の放送信号またはラジオ放送の放送電波の受信状態を良好とするためにアンテナ５１を手動で引き出す必要がない。したがって、ユーザが手動でアンテナ５１を引き出す手間をなくすことができる。
【００６０】
また、テレビアプリケーションまたはラジオアプリケーションを実行している間、発熱部品３への負荷が大きくなり、発熱部品３が発熱する。アンテナ５１は、テレビアプリケーションまたはラジオアプリケーションの実行時に伸長するため、発熱部品３が発熱したとしてもアンテナ５１の表面積が大きくなるので、発熱部品３から伝わった熱を効率的にアンテナ５１から放熱することができる。
【００６１】
また、テレビアプリケーションまたはラジオアプリケーションの終了により、伸長しているアンテナ５１を収納する。このため、ユーザが手動でアンテナ５１を収納する手間をなくすことができる。
【００６２】
なお、テレビアプリケーションおよびラジオアプリケーションそれぞれが、テレビジョン放送の再生機能、ラジオ放送の再生機能に連動してアンテナの伸縮を制御する機能を有していても良い。
【００６３】
この場合、アプリケーション管理部１６３は、アプリケーションの起動時においてアンテナ伸長イベントを検出すると、アンテナ５１の引出指示を伸縮駆動制御部１６５に出力する。アプリケーション管理部１６３は、テレビアプリケーションプログラムまたはラジオアプリケーションプログラムを実行すると、アンテナ伸長イベントが発生し、発生したアンテナ伸長イベントを検出する。
【００６４】
また、アプリケーション管理部１６３は、アプリケーションが起動している状態においてアンテナ収納イベントを検出すると、アンテナ５１の収納指示を伸縮駆動制御部１６５に出力する。アプリケーション管理部１６３は、テレビアプリケーションまたはラジオアプリケーションの起動中に操作受付部１６１からアプリケーション終了指示が入力されると、アンテナ収納イベントを検出する。
【００６５】
＜第２の実施の形態＞
第１の実施の形態における携帯情報端末１は、テレビアプリケーションまたはラジオアプリケーションそれぞれの起動および終了と連動させて、アンテナ５１の伸縮を制御するものであった。第２の実施の形態における携帯情報端末１は、発熱部品３の温度に応じて、アンテナ５１の伸縮を制御するものである。
【００６６】
なお、第２の実施の形態における携帯情報端末１について、構造は図１，２に示したのと同じであり、ハードウエア構成は図３に示したのと同じである。以下に示す他の実施の形態についても同様である。
【００６７】
（第２の実施の形態における携帯情報端末が備える制御部の機能）
図６は、第２の実施の形態における携帯情報端末が備える制御部の機能を示す機能ブロック図である。図６に示す制御部１０１Ａが制御部１０１と異なる点は、操作受付部１６１およびアプリケーション管理部１６３が削除された点、温度監視部（温度監視手段）１７１が追加された点、伸縮駆動制御部１６５が伸縮駆動制御部１６５Ａに変更された点である。その他の機能は、制御部１０１の機能と同様であるので、ここでは説明を繰り返さない。
【００６８】
温度監視部１７１は、温度測定部６０が計測する温度に基づいて、発熱部品３の温度を監視する。温度監視部１７１は、温度測定部６０が計測する温度が所定の温度Ｔｉ以上になると、発熱部品３の温度の異常上昇と判断する。また、温度測定部６０が計測する温度が所定の温度Ｔｉ以上になった後は、温度Ｔｉより低い温度Ｔｓを超えている場合、発熱部品３の温度の異常上昇と判断する。温度監視部１７１は、発熱部品３の温度の異常上昇と判断している間、異常信号を伸長駆動制御部１６５Ａに出力する。
【００６９】
温度監視部１７１は、温度測定部６０が計測する温度が温度Ｔｉ以上になった後、温度Ｔｓ以下に低下すると、発熱部品３の温度を適正と判断する。温度監視部１７１は、発熱部品３の温度を適正と判断している間、適正信号を伸長駆動制御部１６５Ａに出力する。
【００７０】
伸縮駆動制御部１６５Ａは、温度監視部１７１から異常信号または適正信号が入力される。伸縮駆動制御部１６５Ａは、アンテナ５１がアンテナ収納部１３において収納状態であるときに、温度監視部１７１から異常信号が入力されると、アンテナ収納部１３において収納状態のアンテナ５１を引出状態に変更させる。伸縮駆動制御部１６５Ａは、アンテナ５１が引出状態であるときに、温度監視部１７１から適正信号が入力されると、引出状態のアンテナ５１を収納状態に変更させる。
【００７１】
（第２の実施の形態におけるアンテナ伸縮駆動制御処理の流れ）
図７は、第２の実施の形態におけるアンテナ伸縮駆動制御処理の流れの一例を示すフローチャートである。制御部１０１Ａは、電源がオンになったか否かを判断する（ステップＳ１１）。電源がオンになったならば処理をステップＳ１２に進める。
【００７２】
ステップＳ１２においては、温度監視部１７１は、温度測定部６０が出力する温度を発熱部品３の温度として計測し、処理をステップＳ１３に進める。
【００７３】
ステップＳ１３においては、温度監視部１７１は、ステップＳ１２において計測された温度が所定の温度Ｔｉ以上であるか否かを判断する。ステップＳ１２において計測された温度が温度Ｔｉ以上であるならば処理をステップＳ１４に進めるが、そうでなければ処理をステップＳ１２に戻す。
【００７４】
ステップＳ１４においては、伸縮駆動制御部１６５Ａは、収納状態のアンテナ５１を引出状態に変更し、処理をステップＳ１５に進める。ステップＳ１５においては、温度監視部１７１は、温度測定部６０が出力する温度を発熱部品３の温度として計測し、処理をステップＳ１６に進める。
【００７５】
ステップＳ１６においては、温度監視部１７１は、ステップＳ１５において計測された温度が所定の温度Ｔｓ以下であるか否かを判断する。ステップＳ１５において計測された温度が温度Ｔｓ以下ならば処理をステップＳ１７に進めるが、そうでなければ処理をステップＳ１５に戻す。
【００７６】
なお、ステップＳ１５，Ｓ１６の処理は、ステップＳ１６において発熱部品３の温度が温度Ｔｓ以下になるまで繰り返される。
【００７７】
ステップＳ１７においては、伸縮駆動制御部１６５Ａは、引出状態のアンテナ５１を収納状態に変更し、処理をステップＳ１８に進める。
【００７８】
ステップＳ１８においては、制御部１０１Ａは、電源がオフになったか否かを判断する。電源がオフになったならば伸縮制御処理を終了するが、そうでなければ処理をステップＳ１２に戻す。
【００７９】
（第２の実施の形態のまとめ）
上述したように、第２の実施の形態における携帯情報端末１は、発熱部品３の温度が所定の温度Ｔｉ以上になると、アンテナ５１を伸長する。これにより、発熱部品３の温度が温度Ｔｉ以上のときに、アンテナ５１の表面積が大きくなるため、発熱部品３の熱を効率的に放熱することができる。したがって、発熱部品３の温度上昇を抑制することができる。
【００８０】
発熱部品３の温度が温度Ｔｉ以上となった後、発熱部品３の温度が所定の温度Ｔｓ以下になると、伸長しているアンテナ５１を収納する。したがって、引出状態のアンテナ５１を収納状態に変更する温度を温度Ｔｉより低い温度Ｔｓとしたので、一旦収納状態になったアンテナ５１が、発熱部品３の少しの温度上昇によって、直ぐに引出状態となるのを防ぐことができる。これにより、アンテナ５１の伸縮を無駄に繰り返さないようにすることができる。
【００８１】
＜第３の実施の形態＞
第３の実施の形態における携帯情報端末１は、それが備えるアンテナ５１が手動式であり、発熱部品３の温度が所定の温度まで上昇すると、アンテナ５１の伸長をユーザに促すものである。
【００８２】
（第３の実施の形態における携帯情報端末が備える制御部の機能）
図８は、第３の実施の形態における携帯情報端末が備える制御部の機能を示す機能ブロック図である。図８に示す制御部１０１Ｂが制御部１０１Ａと異なる点は、伸縮駆動制御部１６５Ａが削除された点、報知部（報知手段）１８１が追加された点である。その他の機能は、制御部１０１Ａの機能と同様であるので、ここでは説明を繰り返さない。
【００８３】
報知部１８１は、発熱部品３の温度の異常上昇を報知する。具体的には、温度監視部１７１から異常信号が入力されると、発熱部品３の温度の異常上昇をメッセージ画面、音または振動で報知する。例えば、メッセージ画面は、「携帯電話が熱くなっています。アンテナを伸ばしてください。」のメッセージを含む。これにより、アンテナ５１の伸長をユーザに促すことができる。
【００８４】
（報知処理の流れ）
図９は、報知処理の流れの一例を示すフローチャートである。報知処理は、制御部１０１Ｂが記憶部８０に記憶された報知プログラムを実行することにより、制御部１０１Ｂに実行される処理である。制御部１０１Ｂは、電源がオンになったか否かを判断する（ステップＳ２１）。電源がオンになったならば処理をステップＳ２２に進める。
【００８５】
ステップＳ２２においては、温度監視部１７１は、温度測定部６０が出力する温度を発熱部品３の温度として計測し、処理をステップＳ２３に進める。
【００８６】
ステップＳ２３においては、温度監視部１７１は、ステップＳ２２において計測された温度が所定の温度Ｔｉ以上であるか否かを判断する。ステップＳ２２において計測された温度が所定の温度Ｔｉ以上であるならば処理をステップＳ２４に進めるが、そうでなければ処理をステップＳ２５に進める。
【００８７】
ステップＳ２４においては、報知部１８１は、発熱部品３の温度の異常上昇を報知し、処理をステップＳ２５に進める。
【００８８】
ステップＳ２５においては、制御部１０１Ｂは、電源がオフになったか否かを判断する。電源がオフになったならば報知処理を終了するが、そうでなければ処理をステップＳ２２に戻す。
【００８９】
＜第４の実施の形態＞
第４の実施の形態は、第１の実施の形態と第２の実施の形態とを組み合わせたものである。
【００９０】
（第４の実施の形態における携帯情報端末が備える制御部の機能）
図１０は、第４の実施の形態における携帯情報端末が備える制御部の機能を示す機能ブロック図である。制御部１０１Ｃは、図４に示す操作受付部１６１およびアプリケーション管理部１６３と、図６に示す温度監視部１７１と、伸縮駆動制御部１６５Ｂとを含む。
【００９１】
伸縮駆動制御部１６５Ｂは、アプリケーション管理部１６３からアンテナ５１の引出指示または収納指示が入力され、温度監視部１７１から異常信号または適正信号が入力される。
【００９２】
伸縮駆動制御部１６５Ｂは、アンテナ５１がアンテナ収納部１３において収納状態であるときに、アプリケーション管理部１６３からアンテナ５１の引出指示が入力される、または、温度監視部１７１から異常信号が入力されると、収納状態のアンテナ５１を引出状態に変更させる。
【００９３】
伸縮駆動制御部１６５Ｂは、温度監視部１７１から異常信号が入力されることにより、アンテナ５１が引出状態である場合において、温度監視部１７１から適正信号が入力されると、引出状態のアンテナ５１を収納状態に変更させる。
【００９４】
伸縮駆動制御部１６５Ｂは、アプリケーション管理部１６３からアンテナ５１の引出指示が入力されることにより、アンテナ５１が引出状態である場合において、アプリケーション管理部１６３からアンテナ５１の収納指示が入力されると、引出状態のアンテナ５１を収納状態に変更させる。ただし、アプリケーション管理部１６３からのアンテナ５１の引出指示に加え、温度監視部１７１から異常信号が入力されている場合、アプリケーション管理部１６３からアンテナ５１の収納指示が入力されても、アンテナ５１を引出状態に維持する。この場合において、温度監視部１７１から適正信号が入力されると、引出状態のアンテナ５１を収納状態に変更させる。
【００９５】
（第４の実施の形態におけるアンテナ伸縮駆動制御処理の流れ）
図１１は、第４の実施の形態におけるアンテナ伸縮駆動制御処理の流れの一例を示すフローチャートである。制御部１０１Ｃは、電源がオンになったか否かを判断する（ステップＳ３１）。電源がオンになったならば処理をステップＳ３２に進める。
【００９６】
ステップＳ３２においては、操作受付部１６１は、アプリケーションの起動指示を受け付けたか否かを判断する。アプリケーションの起動指示を受け付けたならば処理をステップＳ３３に進めるが、そうでなければ処理をステップＳ３９に進める。
【００９７】
ステップＳ３３においては、アプリケーション管理部１６３は、アンテナ使用機能を有するアプリケーションを起動するか否かを判断する。ステップＳ３２におけるアプリケーション起動指示で特定されるアプリケーションがアンテナ利用アプリ識別情報で示されるアプリケーションである場合、処理をステップＳ３４に進めるが、そうでなければ処理をステップＳ３９に進める。
【００９８】
ステップＳ３４においては、伸縮駆動制御部１６５Ｂは、アンテナ５１が収納状態か否かを判断する。アンテナ５１が収納状態であるならば処理をステップＳ３５に進めるが、そうでなければ処理をステップＳ３６に進める。
【００９９】
ステップＳ３５においては、伸縮駆動制御部１６５Ｂは、収納状態のアンテナ５１を引出状態に変更し、処理をステップＳ３６に進める。
【０１００】
ステップＳ３６においては、アプリケーション管理部１６３は、ステップＳ３３において起動されたアンテナ使用機能を有するアプリケーションが終了したか否かを判断する。具体的には、終了するアプリケーションがアンテナ利用アプリ識別情報で示されるアプリケーションであるか否かを判断する。アプリケーション管理部１６３は、終了するアプリケーションがアンテナ利用アプリ識別情報で示されるアプリケーションである場合、処理をステップＳ３７に進める。
【０１０１】
ステップＳ３７においては、温度監視部１７１は、温度測定部６０が出力する温度を発熱部品３の温度として計測する。そして、計測された温度が温度Ｔｉ以上であるか否かを判断する（ステップＳ３８）。計測された温度が温度Ｔｉ以上であるならば処理をステップＳ３２に戻すが、そうでなければ処理をステップＳ４５に進める。
【０１０２】
なお、ステップＳ３８は、ステップＳ３７において計測された温度が温度Ｔｉ以上であるか否かを判断するようにしたが、ステップＳ３７において計測された温度がＴｓ以下であるか否かを判断するようにしてもよい。この場合、ステップＳ３７において計測された温度がＴｓ以下であるならば処理をステップＳ４５に進めるが、そうでなければ処理をステップＳ３２に戻す。
【０１０３】
ステップＳ３９は、ステップＳ３２においてアプリケーション起動指示が受け付けられない場合（ステップＳ３２でＮＯ）、または、ステップＳ３２において受け付けられたアプリケーション起動指示で特定されるアプリケーションがアンテナ利用アプリ識別情報で示されるアプリケーションではない場合（ステップＳ３３でＮＯ）である。
【０１０４】
ステップＳ３９においては、温度監視部１７１は、温度測定部６０が出力する温度を発熱部品３の温度として計測する。そして、計測された温度が温度Ｔｉ以上であるか否かを判断する（ステップＳ４０）。計測された温度が温度Ｔｉ以上であるならば処理をステップＳ４１に進めるが、そうでなければ処理をステップＳ４３に進める。
【０１０５】
ステップＳ４１においては、伸縮駆動制御部１６５Ｂは、アンテナ５１が収納状態であるか否かを判断する。アンテナ５１が収納状態であるならば処理をステップＳ４２に進めるが、そうでなければ処理をステップＳ３２に戻す。
【０１０６】
ステップＳ４２においては、伸縮駆動制御部１６５Ｂは、アンテナ５１を収納状態に変更し、処理をステップＳ３２に戻す。
【０１０７】
ステップＳ４３においては、温度監視部１７１は、ステップＳ３９において計測された温度が温度Ｔｓ以下であるか否かを判断する。ステップＳ３９において計測された温度が温度Ｔｓ以下であるならば処理をステップＳ４４に進めるが、そうでなければ処理をステップＳ３２に戻す。
【０１０８】
ステップＳ４４においては、伸縮駆動制御部１６５Ｂは、アンテナ５１が引出状態であるか否かを判断する。アンテナ５１が引出状態であるならば処理をステップＳ４５に進めるが、そうでなければ処理をステップＳ４６に進める。
【０１０９】
ステップＳ４５においては、伸縮駆動制御部１６５Ｂは、アンテナ５１を収納状態に変更し、処理をステップＳ４６に進める。
【０１１０】
ステップＳ４６においては、制御部１０１Ｃは、電源がオフになったか否かを判断する。電源がオフになったならばアンテナ伸縮制御処理を終了するが、そうでなければ処理をステップＳ３２に戻す。
【０１１１】
（第４の実施の形態のまとめ）
上述したように、第４の実施の形態における携帯情報端末１は、テレビアプリケーションまたはラジオアプリケーションの実行、または、発熱部品３の温度が温度Ｔｉ以上になると、アンテナ５１を伸長する。また、発熱部品３の温度が温度Ｔｉ以上になった後、温度Ｔｓ以下に低下すると、伸長しているアンテナ５１を収納する。または、テレビアプリケーションまたはラジオアプリケーションの終了により、伸長しているアンテナ５１を収納する。ただし、テレビアプリケーションまたはラジオアプリケーションが起動しており、発熱部品３の温度が温度Ｔｉ以上である場合、テレビアプリケーションまたはラジオアプリケーションが終了したとしても、伸長しているアンテナ５１を収納しない。この場合、発熱部品３の温度が温度Ｔｓ以下に低下すると、伸長しているアンテナ５１を収納する。
【０１１２】
これにより、テレビアプリケーションまたはラジオアプリケーションを実行している間、発熱部品への負荷が大きくなり、発熱部品３が発熱したとしても、アンテナ５１の伸長によりアンテナ５１の表面積が大きくなる。これにより、発熱部品３から伝わる熱を効率よくアンテナ５１から放熱することができる。また、テレビアプリケーションまたはラジオアプリケーションを起動しており、発熱部品３の温度が温度Ｔｉ以上となった場合において、テレビアプリケーションまたはラジオアプリケーションが終了したとしても、発熱部品３の温度が温度Ｔｓ以下とならない限り、アンテナ５１を収納しない。これにより、発熱部品３の熱を確実に放熱することができる。
【０１１３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１４】
最後に、携帯情報端末１の各ブロック、特に制御部１０１，１０１Ａ〜１０１Ｃは、ハードウェアロジックによって構成してもよいし、次のようにＣＰＵを用いてソフトウェアによって実現してもよい。
【０１１５】
すなわち、携帯情報端末１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯情報端末１の制御プログラムのプログラムコード（実行形式プログラム、中間コードプログラム、ソースプログラム）をコンピュータで読み取り可能に記録した記録媒体を、上記携帯情報端末１に供給し、そのコンピュータ（またはＣＰＵやＭＰＵ）が記録媒体に記録されているプログラムコードを読み出し実行することによっても、達成可能である。
【０１１６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１７】
また、携帯情報端末１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【符号の説明】
【０１１８】
１  携帯情報端末
３  発熱部品
５  基板
７  熱伝導体（熱伝導体部材）
９  アンテナ接続用端子
１１  筐体
１３  アンテナ収納部
４０  チューナ
５０  アンテナ部
５１  アンテナ
５３  伸縮駆動部
６０  温度測定部
７０  操作部
８０  記憶部
９０  カメラ部
１０１，１０１Ａ〜１０１Ｃ  制御部
１３０  表示制御部
１６１  操作受付部
１６３  アプリケーション管理部（アプリケーション管理手段）
１６５，１６５Ａ，１６５Ｂ  伸縮駆動制御部（伸縮駆動制御手段）
１７１  温度監視部（温度監視手段）
１８１  報知部（報知手段）
【図１】
2013214868.tif 000003
【図２】
2013214868.tif 000004
【図３】
2013214868.tif 000005
【図４】
2013214868.tif 000006
【図５】
2013214868.tif 000007
【図６】
2013214868.tif 000008
【図７】
2013214868.tif 000009
【図８】
2013214868.tif 000010
【図９】
2013214868.tif 000011
【図１０】
2013214868.tif 000012
【図１１】
2013214868.tif 000013